(57)【要約】【課題】ＡＶ機器等の接続機器に好適に用いることができ、ユーザの検索操作を簡便にするヘルプ情報検索制御装置を提供する。【解決手段】ユーザにより操作される入力手段からヘルプ情報を検索する機能を実行するための機能実行要求を受け取ったとき、ＡＶ機器の機能の実行状態を識別する状態ＩＤを取得し、この状態ＩＤに対応するＡＶ機器の機能の内容を分類する見出し項目を取得する見出し項目取得手段１８と、取得された見出し項目に対応する機能項目を取得して表示させる機能項目取得手段２０と、表示された機能項目の中からユーザにより選択された機能項目に対応するヘルプ情報を取得して表示させるヘルプ情報取得手段２１とを備える。【選択図】  図１
2007122353.tif 000002
【特許請求の範囲】
【請求項１】
接続機器が有する各機能に対応させて設定された操作方法および機能説明を含むヘルプ情報の中から、ユーザが所望のヘルプ情報を検索するためのヘルプ情報検索制御装置において、
前記接続機器の動作状態を示す情報とこの情報を識別するための状態ＩＤとを記憶する状態ＩＤ記憶手段と、
前記状態ＩＤと前記接続機器が有する各機能の内容を分類する大項目である見出し項目とを対応付けて記憶する状態ＩＤ分類テーブル記憶手段と、
前記見出し項目とこの見出し項目の機能の内容をさらに分類する小項目である機能項目とこの機能項目ごとに設定される前記ヘルプ情報とを対応付けて記憶するヘルプ表示情報記憶手段と、
ユーザにより操作され、所望の機能を実行させるための機能実行要求を入力する入力手段と、
前記入力手段により入力された機能実行要求に基づいて前記所望の機能を実行させるとともに、この所望の機能が実行された状態に対応する状態ＩＤを前記状態ＩＤ記憶手段から取得する機能実行手段と、
前記機能実行手段で取得された最新の状態ＩＤを格納する状態ＩＤ格納バッファと、
前記入力手段からヘルプ情報を検索する機能を実行させるための機能実行要求を受け取ったとき、前記状態ＩＤ格納バッファに格納されている状態ＩＤに対応する前記見出し項目を前記状態ＩＤ分類テーブル記憶手段から取得する見出し項目取得手段と、
前記取得された見出し項目に対応する前記機能項目の中からユーザにより選択された機能項目に対応するヘルプ情報を取得するヘルプ情報取得手段と、
前記取得されたヘルプ情報を表示する表示手段と、
を備えたことを特徴とするヘルプ情報検索制御装置。
【請求項２】
接続機器が有する各機能に対応させて設定された操作方法および機能説明を含むヘルプ情報の中から、ユーザが所望のヘルプ情報を検索するためのヘルプ情報検索制御装置において、
前記接続機器の動作状態を示す情報とこの情報を識別するための状態ＩＤとを記憶する状態ＩＤ記憶手段と、
前記状態ＩＤと前記状態ＩＤに対応する機能に関連する予め設定されたキーワードとを記憶するキーワード記憶手段と、
前記接続機器が有する各機能の内容を分類する項目である機能項目とこの機能項目ごとに設定される前記ヘルプ情報とを対応付けて記憶するヘルプ表示情報記憶手段と、
ユーザにより操作され、所望の機能を実行させるための機能実行要求を入力する入力手段と、
前記入力手段により入力された機能実行要求に基づいて前記所望の機能を実行させるとともに、この所望の機能が実行された状態に対応する状態ＩＤを前記状態ＩＤ記憶手段から取得する機能実行手段と、
前記機能実行手段で取得された最新の状態ＩＤを格納する状態ＩＤ格納バッファと、
前記入力手段からヘルプ情報を検索する機能を実行させるための機能実行要求を受け取ったとき、前記状態ＩＤ格納バッファに格納されている状態ＩＤに対応するキーワードを前記キーワード記憶手段から取得するキーワード取得手段と、
前記取得されたキーワードを基に抽出された前記機能項目の中からユーザにより選択された機能項目に対応するヘルプ情報を取得するヘルプ情報取得手段と、
前記取得されたヘルプ情報を表示する表示手段と、
を備えたことを特徴とするヘルプ情報検索制御装置。
【発明の詳細な説明】
【技術分野】
【０００１】
本発明は、ＡＶ（audio visual）機器等の接続機器の操作において、利用者によるヘルプ情報の検索操作を制御するヘルプ情報検索制御装置に関する。
【背景技術】
【０００２】
近年、電子機器の発展に伴い、コンピュータ機能が組み込まれたＡＶ機器が多く普及している。コンピュータ機能が組み込まれることにより、多機能かつ高機能なＡＶ機器を提供することが可能になっている。
【０００３】
これらの多機能、高機能なＡＶ機器は便利である反面、ユーザの操作が複雑になることがあり、これに対応するため操作説明を提供することが要求される。
【０００４】
一般の電子機器等において操作説明を提供する手段として、階層構造をなして格納されている膨大な量の操作説明用のデータを利用するヘルプ機能が多く利用されている。
【０００５】
しかし、このヘルプ機能を利用するためには目的とする操作説明用のデータがどこに格納されているのかユーザが把握しなければならず、利用し難い場合があった。
【０００６】
ユーザが目的とする操作説明のデータを取得するため、機器に対してキーワード入力を行いヘルプ機能のデータの検索をする方法もあるが、ＡＶ機器においてはテキスト入力をする機能のない場合が多く、好適ではないという問題があった。
【０００７】
これらの問題を解決するための特許文献１の技術では、操作目的ごとにキーワードの関連度をランク付けしておき、ユーザが画面上に表示されるキーワードを順次選択して関連度を高くしていくことで機器に対して目的の操作説明を指定することができる。
【０００８】
また、特許文献２の技術では、ユーザが行った操作を監視してその履歴を蓄積しておき、この履歴を基に操作時の操作状態および操作目的を判断してユーザの操作を支援することができる。
【０００９】
これらの技術により、ユーザによる目的の操作説明の取得が容易になる。
【特許文献１】特開平８−１２３６５０号公報
【特許文献２】特開平８−１７１４４３号公報
【発明の開示】
【発明が解決しようとする課題】
【００１０】
しかし、特許文献１の技術は、目的の操作説明に達するまで繰り返しキーワードを選択しなければならず、効率が悪いという問題があった。
【００１１】
また、特許文献２の技術は、操作によっては履歴が参考にならない場合もあり、このような場合には操作支援の効果が得られないという問題があった。
【００１２】
本発明は、上記事情に鑑みてなされたものであり、ＡＶ機器等の接続機器に好適に用いることができ、ユーザの検索操作を簡便にするヘルプ情報検索制御装置を提供することを目的とする。
【課題を解決するための手段】
【００１３】
上記目的を達成するための本発明の請求項１に記載のヘルプ情報検索制御装置は、接続機器が有する各機能に対応させて設定された操作方法および機能説明を含むヘルプ情報の中から、ユーザが所望のヘルプ情報を検索するためのものであり、接続機器の動作状態を示す情報とこの情報を識別するための状態ＩＤとを記憶する状態ＩＤ記憶手段と、状態ＩＤと接続機器が有する各機能の内容を分類する大項目である見出し項目とを対応付けて記憶する状態ＩＤ分類テーブル記憶手段と、見出し項目とこの見出し項目の機能の内容をさらに分類する小項目である機能項目とこの機能項目ごとに設定されるヘルプ情報とを対応付けて記憶するヘルプ表示情報記憶手段と、ユーザにより操作され、所望の機能を実行させるための機能実行要求を入力する入力手段と、入力手段により入力された機能実行要求に基づいて所望の機能を実行させるとともに、この所望の機能が実行された状態に対応する状態ＩＤを状態ＩＤ記憶手段から取得する機能実行手段と、機能実行手段で取得された最新の状態ＩＤを格納する状態ＩＤ格納バッファと、入力手段からヘルプ情報を検索する機能を実行させるための機能実行要求を受け取ったとき、状態ＩＤ格納バッファに格納されている状態ＩＤに対応する見出し項目を状態ＩＤ分類テーブル記憶手段から取得する見出し項目取得手段と、取得された見出し項目に対応する機能項目の中からユーザにより選択された機能項目に対応するヘルプ情報を取得するヘルプ情報取得手段と、取得されたヘルプ情報を表示する表示手段とを備えたことを特徴とする。
【００１４】
また、請求項２に記載のヘルプ情報検索制御装置は、接続機器が有する各機能に対応させて設定された操作方法および機能説明を含むヘルプ情報の中から、ユーザが所望のヘルプ情報を検索するためのものであり、接続機器の動作状態を示す情報とこの情報を識別するための状態ＩＤとを記憶する状態ＩＤ記憶手段と、状態ＩＤと状態ＩＤに対応する機能に関連する予め設定されたキーワードとを記憶するキーワード記憶手段と、接続機器が有する各機能の内容を分類する項目である機能項目とこの機能項目ごとに設定されるヘルプ情報とを対応付けて記憶するヘルプ表示情報記憶手段と、ユーザにより操作され、所望の機能を実行させるための機能実行要求を入力する入力手段と、入力手段により入力された機能実行要求に基づいて所望の機能を実行させるとともに、この所望の機能が実行された状態に対応する状態ＩＤを状態ＩＤ記憶手段から取得する機能実行手段と、機能実行手段で取得された最新の状態ＩＤを格納する状態ＩＤ格納バッファと、入力手段からヘルプ情報を検索する機能を実行させるための機能実行要求を受け取ったとき、状態ＩＤ格納バッファに格納されている状態ＩＤに対応するキーワードをキーワード記憶手段から取得するキーワード取得手段と、取得されたキーワードを基に抽出された機能項目の中からユーザにより選択された機能項目に対応するヘルプ情報を取得するヘルプ情報取得手段と、取得されたヘルプ情報を表示する表示手段とを備えたことを特徴とする。
【発明の効果】
【００１５】
本発明のヘルプ情報検索制御装置によれば、接続機器で実行されている機能を把握してヘルプ情報の提供を行うためユーザは簡便な操作で所望のヘルプ情報を検索することができる。
【発明を実施するための最良の形態】
【００１６】
〈第１実施形態〉
《第１実施形態によるヘルプ情報検索制御装置の構成》
本発明の第１実施形態によるヘルプ情報検索制御装置１０の構成について図１および図２を参照して説明する。
【００１７】
本実施形態によるヘルプ情報検索制御装置１０はＡＶ機器に搭載された例とし、ヘルプ情報検索制御装置１０はこのＡＶ機器が有する各機能に設定された機能説明などのヘルプ情報の中からユーザが所望のヘルプ情報を検索するためのものであり、入力手段１１と、状態ＩＤ記憶手段１２と、画面表示情報記憶手段１３と、機能実行手段１４と、表示手段１５と、状態ＩＤ格納バッファ１６と、状態ＩＤ分類テーブル記憶手段１７と、見出し項目取得手段１８と、ヘルプ表示情報記憶手段１９と、機能項目取得手段２０と、ヘルプ情報取得手段２１とを有する。
【００１８】
入力手段１１は、ユーザにより操作され各手段に情報を送出するためのものであり、本実施形態においては図２に示すリモコン３０が用いられる。リモコン３０は、電源ボタン３１と、「初期メニュー」画面を起動させるメニューボタン３２と、表示画面上の情報の中から所望の情報を選択するための上矢印ボタン３３、右矢印ボタン３４、下矢印ボタン３５、および左矢印ボタン３６と、これらの矢印ボタンにより選択された情報の実行を要求するための決定ボタン３７と、ヘルプ情報検索機能を起動させるためのヘルプボタン３８とを有する。
【００１９】
状態ＩＤ記憶手段１２は、図３に示すようなＡＶ機器の動作状態を示す情報と、この動作状態を識別するための状態ＩＤとを記憶する。
【００２０】
状態ＩＤ記憶手段１２に記憶されているＡＶ機器の動作状態および対応する状態ＩＤ（各機能の実行状態：状態ＩＤ）としては、例えば「字幕切替（トグル）」：ＩＤ「１４」、「『字幕設定メニュー』の『表示設定』画面表示、」：ＩＤ「１５」、「『字幕設定メニュー』の『言語設定』画面表示」：ＩＤ「１６」、「『省エネ設定』画面表示、カーソル位置『ＥＥセンサー』（デフォルト）：ＩＤ「２６」、「『省エネ設定』画面表示、カーソル位置『無信号電源オートオフ』」：ＩＤ「２７」、「『省エネ設定』画面表示、カーソル位置『テレビ消し忘れ防止設定』：ＩＤ「２８」などがある。
【００２１】
画面表示情報記憶手段１３は、「省エネ設定」画面等の各種機能を実行するための設定画面や機能を実行したときに表示手段１５に表示する表示情報等を記憶する。
【００２２】
機能実行手段１４は、ユーザにより入力手段１１から入力された機能実行要求から入力された機能実行要求に基づいて所望の機能を実行させるとともに、この所望の機能が実行された状態に対応する状態ＩＤを状態ＩＤ記憶手段１２から取得する。また、必要に応じて所望の機能が実行された状態に対応する画面表示情報を、画面表示情報記憶手段１３から取得する。
【００２３】
表示手段１５は、機能実行手段１４、機能項目取得手段２０、および、ヘルプ情報取得手段２１で取得した表示情報を表示する。
【００２４】
状態ＩＤ格納バッファ１６は、機能実行手段１４で取得された状態ＩＤのうち、最新の状態ＩＤを格納する。
【００２５】
状態ＩＤ分類テーブル記憶手段１７は、図４に示すような状態ＩＤと、後述する見出し項目ＩＤとを対応付けて記憶する。
【００２６】
状態ＩＤ分類テーブル記憶手段１７に記憶されている状態ＩＤと各状態ＩＤに対応する見出し項目ＩＤ（状態ＩＤ：見出し項目ＩＤ）としては、例えば、状態ＩＤ「１４」：見出し項目ＩＤ「３」、状態ＩＤ「１５」：見出し項目ＩＤ「３」、状態ＩＤ「１６」：見出し項目ＩＤ「３」、状態ＩＤ「２６」：見出し項目ＩＤ「５」、状態ＩＤ「２７」：見出し項目ＩＤ「５」、状態ＩＤ「２８」：見出し項目ＩＤ「５」などがある。
【００２７】
見出し項目取得手段１８は、入力手段１１であるリモコン３０のヘルプボタン３８が操作されヘルプ情報検索機能が起動されたとき、状態ＩＤ格納バッファ１６に格納されている状態ＩＤに対応する見出し項目を状態ＩＤ分類テーブル記憶手段１７から取得する。状態ＩＤ格納バッファ１６に格納されている状態ＩＤに対応する見出し項目が状態ＩＤ分類テーブル記憶手段１７にないときには、デフォルトの見出し項目を取得する。
【００２８】
ヘルプ表示情報記憶手段１９は、図５に示すようなＡＶ機器の機能を大項目として分類する見出し項目と、見出し項目を識別する見出し項目ＩＤと、見出し項目ごとに複数設定される小項目としての機能項目と、この機能項目ごとに設定されるヘルプ情報とを対応付けて記憶する。
【００２９】
ヘルプ表示情報記憶手段１９に記憶されている見出し項目ＩＤおよび対応する見出し項目（見出し項目ＩＤ：見出し項目）としては、見出し項目ＩＤ「１」：「チャンネルを選ぶ」、見出し項目ＩＤ「２」：「番組を探す」、見出し項目ＩＤ「３」：「便利に見る」、見出し項目ＩＤ「４」：「見やすい映像で見る」、見出し項目ＩＤ「５」：「省エネ設定を変える」、見出し項目ＩＤ「６」：「接続設定を変える」、見出し項目ＩＤ「７」：「データ放送を見る」がある。
【００３０】
また、ヘルプ表示情報記憶手段１９に記憶されている見出し項目ごとに設定されている機能項目は複数あり、例えば、見出し項目「チャンネルを選ぶ」に設定されている機能項目は、「(1)１〜１２ボタンでチャンネルを選ぶ」、「(2)チャンネルを順番に切り替える」、「(3)３桁のチャンネル番号でチャンネルを選ぶ」などがある。また、見出し項目「省エネ設定を変える」に設定されている機能項目は、「(1)放送終了後に自動的に電源を切る」、「(2)無操作のときに自動的に電源を切る」、「(3)ＴＶの明るさを部屋の明るさにあわせる（ＥＥセンサー）」などがある。
【００３１】
ヘルプ情報には、機能の説明、デフォルトの画面から機能を実行するための機能実行画面へ遷移させる操作方法、機能実行後の機器の状態を示す実行後状態ＩＤなどが含まれる。
【００３２】
ヘルプ表示情報記憶手段１９に記憶されているヘルプ情報には、例えば、見出し項目「省エネ設定を変える」の機能項目「(2)無操作のときに自動的に電源を切る」に設定されているものとして、機能説明である「何も操作しない状態が３時間続くと、自動的に電源が切れるように設定できます。」という情報、デフォルトの画面から機能を実行するための機能実行画面へ遷移させる操作方法である「『メニュー』ボタン→『初期設定』→『省エネ設定』→『テレビ消し忘れ防止』→『する』」という情報、および、機能実行後の機器の状態を示す実行後状態ＩＤ「２８」などがある。
【００３３】
機能項目取得手段２０は、見出し項目取得手段１８で取得された見出し項目のうち、ユーザにより選択された見出し項目に設定されている機能項目をヘルプ表示情報記憶手段１９から取得して表示手段１５に出力する。
【００３４】
ヘルプ情報取得手段２１は、機能項目取得手段２０で取得された機能項目のうち、ユーザにより選択された機能項目に対応して設定されているヘルプ情報をヘルプ表示情報記憶手段１９から取得して表示手段１５に出力し、ユーザの操作により機能実行が要求されるとヘルプ情報に含まれる実行後状態ＩＤを機能実行要求として機能実行手段１４に出力する。
【００３５】
《第１実施形態によるヘルプ情報検索制御装置の動作》
以下、本発明の第１実施形態によるヘルプ情報検索制御装置１０の動作について図６のフローチャートを参照して説明する。
【００３６】
本実施形態においては、ユーザがテレビの電源が自動的に切れる機能を設定するためにこの機能に関連があると考えられる「省エネ設定」画面を表示させた状態で、ヘルプ情報を検索する場合について説明する。
【００３７】
まず、ユーザによるリモコン３０の電源ボタン３１が操作されＡＶ機器に電源が入れられると（Ｓ１）、機能実行手段１４でデフォルトの状態ＩＤが状態ＩＤ記憶手段１２から取得され、状態ＩＤ格納バッファ１６に格納される（Ｓ２）。
【００３８】
次に、ユーザにリモコン３０が操作されることにより、ＡＶ機器の機能が分類された「初期メニュー」が起動され、この「初期メニュー」の中から所望の機能である「テレビ消し忘れ防止」の設定を行うために関連があると考えられる「初期設定」が選択され、さらに「初期設定」のメニュー画面の中から「省エネ設定」が選択される。
【００３９】
ユーザによるリモコン３０の操作で「省エネ設定」が選択されると、「省エネ設定」画面を表示手段１５に表示させる機能実行要求がリモコン３０から機能実行手段１４に送信される。
【００４０】
機能実行手段１４では、「省エネ設定」を表示手段１５に表示させる機能実行要求が受信されると、画面表示情報記憶手段１３からデフォルト状態の「省エネ設定」画面の表示情報が取得され、図７に示すように表示手段１５に表示される。ここで、デフォルト状態の「省エネ設定」画面とは、「省エネ設定」画面で表示される項目「ＥＥセンサー」、「無信号電源オートオフ」、「テレビ消し忘れ防止設定」のうち一番上に表示されている項目「ＥＥセンサー」欄にカーソルがある状態であることを示す。
【００４１】
「省エネ設定」画面が表示されると、機能実行手段１４により状態ＩＤ記憶手段１２の中から「省エネ設定」画面がデフォルト状態で表示されていることを示す状態ＩＤ「２６」が取得され、状態ＩＤ格納バッファ１６に記憶される状態ＩＤが「２６」に更新される（Ｓ３）。
【００４２】
次に、「省エネ設定」画面が表示されている状態で、それ以降の操作方法を取得するためにユーザによりリモコン３０のヘルプボタン３８が押下されると（Ｓ４）、見出し項目取得手段１８において状態ＩＤ格納バッファ１６に格納されている状態ＩＤ「２６」が取得される（Ｓ５）。
【００４３】
見出し項目取得手段１８で状態ＩＤ「２６」が取得されると、取得された状態ＩＤ「２６」に対応する見出し項目ＩＤ「５」が状態ＩＤ分類テーブル記憶手段１７から取得される（Ｓ６）。
【００４４】
次に、機能項目取得手段２０において、記憶されている各見出し項目「チャンネルを選ぶ」、「番組を探す」、「便利に見る」、「見やすい映像で見る」、「省エネ設定を変える」、「接続設定を変える」、「データ放送を見る」と、見出し項目取得手段１８で取得された見出し項目ＩＤ「５」に対応する複数の機能項目「(1)放送終了後に自動的に電源を切る」、「(2)無操作のときに自動的に電源を切る」、「(3)ＴＶの明るさを部屋の明るさにあわせる（ＥＥセンサー）」、「(4)ＴＶの明るさの自動調節を切る（ＥＥセンサー）」、「(5)オフタイマーをかける」、「(6)オフタイマーを解除する」、「(7)３０分後にＴＶを切る（オフタイマー）」、「(8)１時間後にＴＶを切る（オフタイマー）」、「(9)１時間３０分後にＴＶを切る（オフタイマー）」、「(10)２時間後にＴＶを切る（オフタイマー）」とがヘルプ表示情報記憶手段１９から取得され、図８に示すように表示手段１５に出力される（Ｓ７）。
【００４５】
このとき、各見出し項目のうち、見出し項目取得手段１８で取得された見出し項目ＩＤ「５」に対応する見出し項目「省エネ設定を変える」が反転により強調表示され、画面の右側に表示された機能項目は見出し項目「省エネ設定を変える」に関して表示されたものであることを示す。
【００４６】
次に、ヘルプ情報取得手段２１において、表示された機能項目の中からユーザにより所望の機能であるテレビの電源が自動的に切れる機能に関連があると考えられる「(2)無操作のとき自動的に電源を切る」がユーザによるリモコン３０の操作で選択されることにより、この機能項目「(2)無操作のとき自動的に電源を切る」に対応して設定されているヘルプ情報の機能説明「何も操作しない状態が３時間続くと、自動的に電源が切れるように設定できます。」の情報と、デフォルトの画面から機能を実行するための機能実行画面へ遷移させる操作方法「『メニュー』ボタン→『初期設定』→『省エネ設定』→『テレビ消し忘れ防止』」の情報と、実行後状態ＩＤ「２８」とがヘルプ表示情報記憶手段１９から取得される。
【００４７】
ヘルプ情報取得手段２１で取得されたヘルプ情報は、表示手段１５に表示される（Ｓ８）。このとき、それまで表示されていた見出し項目は表示されず、図９に示すように、機能項目が画面の左側に移動され取得されたヘルプ情報が画面の右側に表示される。
【００４８】
ここで、機能項目のうち、ユーザにより選択された「(2)無操作のとき自動的に電源を切る」が反転により強調表示され、画面の右側に表示されたヘルプ情報は機能項目「(2)無操作のとき自動的に電源を切る」に関して表示されたものであることを示す。また、ヘルプ情報の欄には「『この機能を使う』ボタン」が表示され、このボタンに実行後状態ＩＤ「２８」が埋め込まれている。
【００４９】
このヘルプ情報の表示から、ユーザはこの機能を実行することにより「何も操作しない状態が３時間続くと、自動的に電源が切れるように設定できる」ことを確認することができ、また、操作方法である「『メニュー』ボタン→『初期設定』→『省エネ設定』→『テレビ消し忘れ防止』」を実行することによりこの機能を設定できることを認識できる。
【００５０】
次に、ヘルプ情報に表示されている「この機能を使う」ボタンがユーザによるリモコン３０の操作で選択されると、「この機能を使う」ボタンに埋め込まれている実行後状態ＩＤ「２８」がヘルプ情報取得手段２１から機能実行手段１４に出力される。
【００５１】
機能実行手段１４では、実行後状態ＩＤ「２８」が受け取られるとこの実行後状態ＩＤ「２８」に対応する機器状態に遷移させ、「省エネ設定」画面の「テレビ消し忘れ防止設定」欄にカーソルがある状態で図１０のように表示手段１５に表示される（Ｓ９）。この時点では「テレビ消し忘れ防止設定」は「しない」に設定されていることが認識され、「省エネ設定」画面の表示によりこの設定が変更されることが予測されてカーソルは「テレビ消し忘れ防止設定」の「する」の欄に表示される。
【００５２】
実行後状態ＩＤ「２８」に対応する画面が表示されると、状態ＩＤ格納バッファ１６に格納される状態ＩＤが「２８」に更新される（Ｓ１０）。
【００５３】
また、図１０のように「省エネ設定」画面が表示された状態で、ユーザによるリモコン３０の操作で「テレビ消し忘れ防止設定」が「する」に選択されると、「テレビ消し忘れ防止設定」を設定する機能実行要求がリモコン３０から機能実行手段１４に送信される。
【００５４】
機能実行手段１４でこの機能実行要求が受信されると、テレビ消し忘れ防止機能の設定が実行される。
【００５５】
さらに機能実行手段１４では、テレビ消し忘れ防止機能の設定が実行されたことに対応する画面表示情報が画面表示情報記憶手段１３から取得され、図１１に示すように「テレビ消し忘れ防止を『する』にしました。」という画面が表示される。
【００５６】
ステップＳ５において取得した状態ＩＤに対応する見出し項目が状態ＩＤ分類テーブル記憶手段１７にないときには、ステップＳ７に移り、デフォルトの見出し項目（例えば「１．チャンネルを選ぶ」）が取得され、図１２に示すようにデフォルトの見出し項目に対応する機能項目が表示される。
【００５７】
以上の第１実施形態によれば、ユーザによりヘルプ情報が要求されたときに、ＡＶ機器の動作状態を示す状態ＩＤに基づいてユーザの所望のヘルプ情報を予測して選択したヘルプ検索画面を表示する（例えば「省エネ設定」画面が開かれた状態でヘルプボタンが押されると、「ユーザは省エネ設定メニューのヘルプが見たい」と予測して関連するヘルプ情報を表示する）ため、ユーザのヘルプ情報検索処理が軽減される。
【００５８】
〈第２実施形態〉
本発明の第２実施形態によるヘルプ情報検索制御装置は、ＡＶ機器の動作状態を基にキーワードを取得し、このキーワードに関連のあるヘルプ情報を抽出して表示させるものである。本実施形態においても、第１実施形態と同様に「省エネ設定」画面が開いた状態でヘルプボタンが押された場合について説明する。
【００５９】
《第２実施形態によるヘルプ情報検索制御装置の構成》
本実施形態によるヘルプ情報検索制御装置４０の構成について図１３を参照して説明する。
【００６０】
本実施形態によるヘルプ情報検索制御装置４０の構成のうち、入力手段１１、状態ＩＤ記憶手段１２、画面表示情報記憶手段１３、機能実行手段１４、表示手段１５、状態ＩＤ格納バッファ１６、ヘルプ表示情報記憶手段１９については、第１実施形態と同様であるため詳細な説明を省略する。
【００６１】
第１実施形態と構成が異なる部分は、第１実施形態の状態ＩＤ分類テーブル記憶手段１７に替わってキーワード記憶手段２２を有すること、および、新たにキーワード取得手段２３を有することである。
【００６２】
キーワード記憶手段２２は、図１４に示すような状態ＩＤと、この各状態ＩＤにそれぞれ対応する機器の状態に関連して予め設定されたキーワードとを記憶する。
【００６３】
キーワード記憶手段２２に記憶されている状態ＩＤと各状態ＩＤに対応するキーワード（状態ＩＤ：キーワード）としては、例えば、状態ＩＤ「１５」：「字幕設定」、状態ＩＤ「１６」：「字幕設定」、状態ＩＤ「２６」：「省エネ設定」、状態ＩＤ「２７」：「省エネ設定」、状態ＩＤ「２８」：「省エネ設定」などがある。
【００６４】
キーワード取得手段２３は、状態ＩＤ格納バッファ１６に格納されている状態ＩＤに対応するキーワードをキーワード記憶手段２２から取得する。
【００６５】
また、機能項目取得手段２０は、入力手段１１であるリモコン３０のヘルプボタン３８が操作されヘルプ情報検索機能が起動されたとき、キーワード取得手段２３で取得されたキーワードに基づいてヘルプ表示情報記憶手段１９内の情報を検索し、このキーワードが見出し項目、機能項目、またはヘルプ情報に含まれる見出し項目および機能項目を抽出する。
【００６６】
ヘルプ情報取得手段２１は、機能項目取得手段２０で取得された機能項目に対応して設定されているヘルプ情報をヘルプ表示情報記憶手段１９から取得して表示手段１５に出力し、ユーザの操作により機能実行が要求されるとヘルプ情報に含まれる実行後状態ＩＤを機能実行要求として機能実行手段１４に出力する。
【００６７】
《第２実施形態によるヘルプ情報検索制御装置の動作》
以下、本発明の第２実施形態によるヘルプ情報検索制御装置４０の動作について図１５のフローチャートを参照して説明する。
【００６８】
ステップＳ１１〜ステップＳ１４の動作は第１実施形態のステップＳ１〜ステップＳ４と同様であるため、詳しい説明を省略する。
【００６９】
ステップＳ１４においてユーザによりリモコン３０のヘルプボタン３８が押下されると、キーワード取得手段２３において状態ＩＤ格納バッファ１６に格納されている状態ＩＤ「２６」が取得される（Ｓ１５）。
【００７０】
キーワード取得手段２３で状態ＩＤ「２６」が取得されると、取得された状態ＩＤ「２６」に対応するキーワード「省エネ設定」がキーワード記憶手段２２から取得される（Ｓ１６）。
【００７１】
次に、機能項目取得手段２０において、キーワード「省エネ設定」を基にヘルプ表示情報記憶手段１９内の情報が検索され、キーワード「省エネ設定」に関連する見出し項目および機能項目が抽出される（Ｓ１７）。
【００７２】
ここでは、見出し項目「省エネ設定を変える」にキーワード「省エネ設定」が含まれることが検出され、この見出し項目「省エネ設定を変える」に対応する機能項目が取得されて図１６に示すように表示手段１５に出力される。
【００７３】
機能項目が抽出された後の処理を示すステップＳ１８〜Ｓ２０ついては、第１実施形態のステップＳ８〜ステップＳ１０と同様であるため、詳細な説明は省略する。
【００７４】
以上の第２実施形態によれば、第１実施形態と同様の効果を得ることができるとともに、ＡＶ機器の動作状態に関連のある項目のみが表示されるため表示される項目が絞られ、ユーザのヘルプ情報検索処理がさらに容易になる。
【００７５】
また、状態ＩＤに対応する情報としてそれぞれキーワードを保持し、このキーワードを基にヘルプ表示情報を検索する構成にすることで、キーワード記憶手段とヘルプ表示情報記憶手段とは独立して作成および管理することができる。そのため、ヘルプ表示情報記憶手段中の情報に変更があってもキーワード記憶手段は変更の必要がなく、記憶情報の管理が容易になる。
【００７６】
〈第３実施形態〉
本発明の第３実施形態によるヘルプ情報検索制御装置は、ＡＶ機器の動作状態を基に取得されるキーワードとユーザにより入力されるキーワードとに関連のあるヘルプ情報を抽出して表示させるためのものである。本実施形態においては、「省エネ設定」の画面が開いた状態でヘルプボタンが押され、且つユーザによりキーワード「でんげん」が入力された場合について説明する。
【００７７】
《第３実施形態によるヘルプ情報検索制御装置の構成》
本実施形態によるヘルプ情報検索制御装置５０の構成について、図１７を参照して説明する。
【００７８】
本実施形態によるヘルプ情報検索制御装置５０の構成は、キーワード取得手段２３、キーワード入力手段２４を除いては第２実施形態と同様であるため、詳細な説明は省略する。
【００７９】
キーワード入力手段２４は、図１８に示すような文字入力画面を用いて、ユーザの操作により任意の文字をキーワードとして入力する。
【００８０】
キーワード取得手段２３は、第２実施形態と同様にキーワード記憶手段２２から取得したキーワードと、キーワード入力手段２４から取得したキーワードとの両方を含む項目を検索（ＡＮＤ検索）するための検索用キーワードを生成する。
【００８１】
《第３実施形態によるヘルプ情報検索制御装置の動作》
以下、本発明の第３実施形態によるヘルプ情報検索制御装置５０の動作について図１９のフローチャートを参照して説明する。
【００８２】
ステップＳ２１〜ステップＳ２４の動作は第１実施形態のステップＳ１〜ステップＳ４と同様であるため、詳しい説明を省略する。
【００８３】
ステップＳ２４においてユーザによりリモコン３０のヘルプボタン３８が押下されると、第２実施形態と同様にキーワード取得手段２３において、状態ＩＤ格納バッファ１６に格納されている状態ＩＤ「２６」が取得され（Ｓ２５）取得された状態ＩＤ「２６」に対応するキーワード「省エネ設定」がキーワード記憶手段２２から取得される（Ｓ２６）とともに、ユーザの操作によりキーワード入力手段２４から入力されたキーワード「でんげん」が取得される（Ｓ２７）。
【００８４】
キーワード取得手段２３では、キーワード記憶手段２２から取得されたキーワード「省エネ設定」とキーワード入力手段２４から入力されたキーワード「でんげん」とから、検索用キーワードが生成される（Ｓ２８）。
【００８５】
この検索用キーワードが生成される処理について図２０を参照して説明する。まず、キーワード記憶手段２２からキーワード「省エネ設定」に終端記号としてヌル値がセットされたデータ「省エネ設定\0」が取得され、キーワード入力手段２４からキーワード「でんげん」に終端記号としてヌル値がセットされたデータ「でんげん\0」が取得され、「省エネ設定\0」の終端記号を削除した後に半角スペースが入れられ、「でんげん\0」がコピーされて結合させることにより検索用キーワード「でんげん 省エネ設定\0」が生成される。
【００８６】
機能項目取得手段２０では、生成された検索用キーワード「でんげん 省エネ設定\0」を基に、この２つのキーワード「省エネ設定」と「でんげん」とに関連する見出し項目および機能項目がヘルプ表示情報記憶手段１９から抽出される（Ｓ２９）。
【００８７】
ここでは、「省エネ設定」に関連する見出し項目「省エネ設定を変える」と、この見出し項目に対応する機能項目の中の「でんげん」に関連する「(1)放送終了後に自動的に電源を切る」、「(2)無操作のときに自動的に電源を切る」、「(3)オフタイマーをかける」、「(4)オフタイマーを解除する」、「(5)３０分後にＴＶを切る（オフタイマー）」、「(6)１時間後にＴＶを切る（オフタイマー）」、「(7)１時間３０分後にＴＶを切る（オフタイマー）」、「(8)２時間後にＴＶを切る（オフタイマー）」が抽出され、図２１に示すように表示手段１５に出力される。
【００８８】
機能項目が抽出された後の処理を示すステップＳ３０〜Ｓ３２ついては、第１実施形態のステップＳ８〜ステップＳ１０と同様であるため、詳細な説明は省略する。
【００８９】
以上の第３実施形態によれば、ＡＶ機器の動作状態とユーザから入力されるキーワードとに関連のある項目のみが表示されるため、表示される項目がさらに絞られ、ユーザのヘルプ情報検索処理がさらに容易になる。
【００９０】
以上の第１実施形態〜第３実施形態においては、機能実行手段で実行後状態ＩＤが受け取られ機能の設定画面が表示されるとき、その時点での設定状態を認識して設定の変更が予測される欄にカーソルが表示されるが、この表示方法には限定されず、機器の設定状態は認識せずに予め設定された設定画面の中のデフォルト位置（例えば設定項目の１行目）にカーソルが表示されるようにしてもよい。
【００９１】
また、以上説明した各実施形態においては、ＡＶ機器を接続機器の例として説明したが、本発明の技術的思想はＡＶ機器に限らず情報処理機器や家電機器等ユーザインターフェースを必要とする機器を接続機器とした場合にも適用可能である。
【図面の簡単な説明】
【００９２】
【図１】本発明の第１実施形態におけるヘルプ情報検索制御装置の構成を示すブロック図である。
【図２】本発明の第１実施形態におけるヘルプ情報検索制御装置が搭載されたＡＶ機器に利用するリモコンを示す正面図である。
【図３】本発明の第1実施形態におけるヘルプ情報検索制御装置の状態ＩＤ記憶手段に記憶されている情報を示す説明図である。
【図４】本発明の第1実施形態におけるヘルプ情報検索制御装置の状態ＩＤ分類テーブル記憶手段に記憶されている情報を示す説明図である。
【図５】本発明の第1実施形態におけるヘルプ情報検索制御装置のヘルプ表示情報記憶手段に記憶されている情報を示す説明図である。
【図６】本発明の第1実施形態におけるヘルプ情報検索制御装置の動作を示すフローチャートである。
【図７】本発明の第1実施形態におけるヘルプ情報検索制御装置の画面表示情報記憶手段に記憶されている「省エネ設定」画面を表示した状態を示す説明図である。
【図８】本発明の第1実施形態におけるヘルプ情報検索制御装置により取得された見出し項目および機能項目を表示した状態を示す説明図である。
【図９】本発明の第1実施形態におけるヘルプ情報検索制御装置により取得された機能項目およびヘルプ情報を表示した状態を示す説明図である。
【図１０】本発明の第1実施形態におけるヘルプ情報検索制御装置の画面表示情報記憶手段に記憶されている「省エネ設定」画面を表示した状態を示す説明図である。
【図１１】本発明の第1実施形態におけるヘルプ情報検索制御装置の画面表示情報記憶手段に記憶されている機能実行後の画面を表示した状態を示す説明図である。
【図１２】本発明の第1実施形態におけるヘルプ情報検索制御装置により取得された見出し項目および機能項目を表示した状態を示す説明図である。
【図１３】本発明の第２実施形態におけるヘルプ情報検索制御装置の構成を示すブロック図である。
【図１４】本発明の第２実施形態におけるヘルプ情報検索制御装置のキーワード記憶手段に記憶されている情報を示す説明図である。
【図１５】本発明の第２実施形態におけるヘルプ情報検索制御装置の動作を示すフローチャートである。
【図１６】本発明の第２実施形態におけるヘルプ情報検索制御装置により取得された見出し項目および機能項目を表示した状態を示す説明図である。
【図１７】本発明の第３実施形態におけるヘルプ情報検索制御装置の構成を示すブロック図である。
【図１８】本発明の第３実施形態におけるヘルプ情報検索制御装置で利用される文字入力画面を示す説明図である。
【図１９】本発明の第３実施形態におけるヘルプ情報検索制御装置の動作を示すフローチャートである。
【図２０】本発明の第３実施形態におけるヘルプ情報検索制御装置のキーワード取得手段の動作を示す説明図である。
【図２１】本発明の第３実施形態におけるヘルプ情報検索制御装置により取得された見出し項目および機能項目を表示した状態を示す説明図である。
【符号の説明】
【００９３】
１０…ヘルプ情報検索制御装置
１１…入力手段
１２…状態ＩＤ記憶手段
１３…画面表示情報記憶手段
１４…機能実行手段
１５…表示手段
１６…状態ＩＤ格納バッファ
１７…状態ＩＤ分類テーブル記憶手段
１８…見出し項目取得手段
１９…ヘルプ表示情報記憶手段
２０…機能項目取得手段
２１…ヘルプ情報取得手段
２２…キーワード記憶手段
２３…キーワード取得手段
２４…キーワード入力手段
３０…リモコン
３１…電源ボタン
３２…メニューボタン
３３…上矢印ボタン
３４…右矢印ボタン
３５…下矢印ボタン
３６…左矢印ボタン
３７…決定ボタン
３８…ヘルプボタン
４０…ヘルプ情報検索制御装置
５０…ヘルプ情報検索制御装置
【図１】
2007122353.tif 000003
【図２】
2007122353.tif 000004
【図３】
2007122353.tif 000005
【図４】
2007122353.tif 000006
【図５】
2007122353.tif 000007
【図６】
2007122353.tif 000008
【図７】
2007122353.tif 000009
【図８】
2007122353.tif 000010
【図９】
2007122353.tif 000011
【図１０】
2007122353.tif 000012
【図１１】
2007122353.tif 000013
【図１２】
2007122353.tif 000014
【図１３】
2007122353.tif 000015
【図１４】
2007122353.tif 000016
【図１５】
2007122353.tif 000017
【図１６】
2007122353.tif 000018
【図１７】
2007122353.tif 000019
【図１８】
2007122353.tif 000020
【図１９】
2007122353.tif 000021
【図２０】
2007122353.tif 000022
【図２１】
2007122353.tif 000023